(57)【特許請求の範囲】
【請求項１】
被検レンズをレンズトレーに装填すると共に該レンズトレーをレンズ性能測定のための測定部に装填することによって、該レンズ性能測定を行うと共に、該レンズ性能測定の測定結果に基づいて前記被検レンズの合否を判定するレンズ性能測定システムにおいて使用されるレンズ合否表示装置であって、
前記レンズ性能測定の終了後に前記測定部から取り出された前記レンズトレーが装填されるトレー装填部と、
前記トレー装填部に装填された前記レンズトレーにおける被検レンズの合格と不合格とを切替可能に表示する合否表示手段であって、前記被検レンズの光路を通じて、又は、前記被検レンズの近傍において、該被検レンズの合否を視認可能に表示する合否表示手段と、
前記トレー装填部に装填された前記レンズトレーにおける被検レンズについての合否の判定結果に基づいて、前記合否表示手段による合格と不合格の表示を切り替える合否表示切替手段と、
を備えたことを特徴とするレンズ合否表示装置。
【請求項２】
前記レンズトレーは、複数の被検レンズを装填するためのレンズ装填部を備え、前記合否表示手段は、前記トレー装填部に装填された前記レンズトレーの各被検レンズの合否を、各被検レンズの光路を通じて、又は、各被検レンズの近傍において表示する手段であり、前記合否表示切替手段は、前記レンズトレーの各被検レンズについての合否の判定結果に基づいて前記合否表示手段による各被検レンズの合格と不合格の表示を切り替える手段であることを特徴とする請求項１のレンズ合否表示装置。
【請求項３】
前記合否表示手段は、前記トレー装填部に装填された板状の前記レンズトレーの背面側において、該レンズトレーに装填された被検レンズに対向する位置に該被検レンズの合格又は不合格を示す色を点灯させるディスプレー又はランプを配置し、該ディスプレー又はランプによって点灯させた色を前記被検レンズの光路を通じて前記レンズトレーの正面側から視認できるようにした手段であることを特徴とする請求項１又は２のレンズ合否表示装置。
【請求項４】
被検レンズの合否の判定結果が、該被検レンズが装填されたレンズトレーのトレー識別情報に対応付けて記憶される記憶手段を備えたレンズ性能測定システムにおいて、
前記トレー装填部に装填された前記レンズトレーのトレー識別情報を読み取るトレー識別情報読取手段を備え、前記合否表示切替手段は、前記トレー識別情報読取手段により読み取られたトレー識別情報に対応付けて前記記憶手段に記憶されている被検レンズの合否の判定結果を読み出し、該判定結果に基づいて、前記合否表示手段による合格と不合格の表示を切り替えることを特徴とする請求項１、２、又は、３のレンズ合否表示装置。
【請求項５】
被検レンズをレンズトレーに装填すると共に該レンズトレーをレンズ性能測定のための測定部に装填することによって、該レンズ性能測定を行うと共に、該レンズ性能測定の測定結果に基づいて前記被検レンズの合否を判定するレンズ性能測定システムにおいて使用されるレンズ合否表示装置であって、
前記レンズトレーにおける被検レンズの合格と不合格とを切替可能に表示する合否表示手段であって、前記レンズトレーにおける前記被検レンズの近傍に配置され、該被検レンズの合否を視認可能に表示するランプと、
前記トレー装填部に装填された前記レンズトレーにおける被検レンズについての合否の判定結果に基づいて、前記ランプによる合格と不合格の表示を切り替える合否表示切替手段と、
を備えたことを特徴とするレンズ合否表示装置。
【請求項６】
前記レンズトレーは、前記レンズ性能測定の測定結果に基づいて該レンズトレーに装填された被検レンズの合否を判定する処理手段を備えたことを特徴とする請求項５のレンズ合否表示装置。
【発明の詳細な説明】
【技術分野】
【０００１】
本発明はレンズ合否表示装置に係り、特にＭＴＦ（Modulation Transfer Function）等のレンズ性能測定により被検レンズの性能評価を行い、その評価結果に基づいて被検レンズの製品としての合否を表示するレンズ合否表示装置に関する。
【背景技術】
【０００２】
現在、撮影専用のカメラ以外に、携帯電話等の撮影以外を主たる目的とする機器にもデジタルカメラが搭載されるようになっており、これらのカメラに使用されるレンズ（レンズユニット）も大量に生産されるようになっている。このようなレンズを生産する生産ラインでは、出荷状態まで組み立てられたレンズが製品として使用できる性能を満たしているかを判定する出荷前検査が行われている。
【０００３】
出荷前検査では、例えば、ＭＴＦ（Modulation Transfer Function）等のレンズ性能測定を行うための測定装置の測定部に被検レンズがセットされ、その測定部から得られた測定データがパソコンなどのデータ処理装置に取り込まれる。そして、データ処理装置においてレンズの性能評価が行われると共に、その評価結果に基づいて合否判定が行われる。
【０００４】
このようにしてデータ処理装置において合否判定が行われると、続く工程では、その判定結果に基づき、被検レンズが合格品と不合格品とに仕分けされる。例えば、合否判定の結果に基づいて、合否を示すシールを被検レンズに貼り付けたり、合否を示すスタンプを被検レンズに押印することなどによって合格品と不合格品とを識別するための識別情報が被検レンズに付加される。そして、その識別情報を作業者が視認することによって合格品と不合格品とを仕分ける作業が行われ、不合格品は生産ラインから取り除かれ、再調整等が施されるようになっている。
【発明の開示】
【発明が解決しようとする課題】
【０００５】
しかしながら、被検レンズに合否を示すシールやマーク等の識別情報を付加する場合に、その作業を手作業で行うと、時間を要すると共に誤りも生じやすい。また、合否判定の結果に基づいて合否を示すシールやマーク等の識別情報を被検レンズに自動的に付加する装置を使用すると、生産コストが高くなるという問題がある。更に、被検レンズが小さい場合、被検レンズにシールやマーク等の識別情報を付加するのが困難であるという問題がある。
【０００６】
一方、レンズ性能測定を行うための測定装置の測定部に被検レンズをセットすると、レンズ性能測定と合否判定が行われると共にその合否判定の結果がモニタに表示されるようにし、被検レンズに識別情報を付加することなく、その合否判定結果の表示（合否表示）を参照することにより、直接、手作業で合格品と不合格品とを仕分けるようにすることも可能である。しかしながら、測定装置の測定部においてこのような作業を手作業で行うと、次の被検レンズに対するレンズ性能測定の開始が遅れ、作業効率が大幅に低下する。また、レンズを大量に生産する場合には、作業負担が大きく、仕分け作業の誤りも増えるという問題がある。
【０００７】
従って、被検レンズに合否を示す識別情報を付加することなく、合格品と不合格品との仕分け作業をレンズ性能測定とは別工程で行えるようにすることが望ましい。
【０００８】
本発明はこのような事情に鑑みてなされたもので、合否を示す識別情報を被検レンズに付加することなく、合格品と不合格品との仕分け作業をレンズ性能測定とは別工程で行えるようにして合否判定のためのレンズ性能測定を高効率で行えるようにすると共に、その仕分け作業を安価な装置で誤りなく確実かつ迅速に行えるようにするレンズ合否表示装置を提供することを目的とする。
【課題を解決するための手段】
【０００９】
前記目的を達成するために、請求項１に記載のレンズ合否表示装置は、被検レンズをレンズトレーに装填すると共に該レンズトレーをレンズ性能測定のための測定部に装填することによって、該レンズ性能測定を行うと共に、該レンズ性能測定の測定結果に基づいて前記被検レンズの合否を判定するレンズ性能測定システムにおいて使用されるレンズ合否表示装置であって、前記レンズ性能測定の終了後に前記測定部から取り出された前記レンズトレーが装填されるトレー装填部と、前記トレー装填部に装填された前記レンズトレーにおける被検レンズの合格と不合格とを切替可能に表示する合否表示手段であって、前記被検レンズの光路を通じて、又は、前記被検レンズの近傍において、該被検レンズの合否を視認可能に表示する合否表示手段と、前記トレー装填部に装填された前記レンズトレーにおける被検レンズについての合否の判定結果に基づいて、前記合否表示手段による合格と不合格の表示を切り替える合否表示切替手段と、を備えたことを特徴としている。
【００１０】
本発明によれば、レンズ性能測定が終了した被検レンズをレンズトレーに装填したまま、レンズ性能測定の測定部とは別のトレー装填部に移動させることによって、被検レンズの合否が表示される。そのため、合格品と不合格品の仕分け作業をレンズ性能測定と別工程で行うことができ、レンズ性能測定を高効率で行うことができる。また、合否の表示は、被検レンズにシールやスタンプを付加することなく行われるため、被検レンズにそれらを付加する装置が不要である。更に、合否の表示が被検レンズの光路を通じて、又は、近傍に表示されるため、誤りなくかつ迅速に被検レンズを合格品と不合格品に仕分けることができる。
【００１１】
請求項２に記載のレンズ合否表示装置は、請求項１に記載の発明において、前記レンズトレーは、複数の被検レンズを装填するためのレンズ装填部を備え、前記合否表示手段は、前記トレー装填部に装填された前記レンズトレーの各被検レンズの合否を、各被検レンズの光路を通じて、又は、各被検レンズの近傍において表示する手段であり、前記合否表示切替手段は、前記レンズトレーの各被検レンズについての合否の判定結果に基づいて前記合否表示手段による各被検レンズの合格と不合格の表示を切り替える手段であることを特徴としている。
【００１２】
本発明によれば、レンズトレーには複数の被検レンズを装填することができるため、レンズ性能測定や合否表示に基づく合格品と不合格品の仕分け作業の効率化が図れる。
【００１３】
請求項３に記載のレンズ合否表示装置は、請求項１又は２の発明において、前記合否表示手段は、前記トレー装填部に装填された板状の前記レンズトレーの背面側において、該レンズトレーに装填された被検レンズに対向する位置に該被検レンズの合格又は不合格を示す色を点灯させるディスプレー又はランプを配置し、該ディスプレー又はランプによって点灯させた色を前記被検レンズの光路を通じて前記レンズトレーの正面側から視認できるようにした手段であることを特徴としている。
【００１４】
本発明は、被検レンズの合否の表示を被検レンズの光路を通じて視認できるようにした場合の合否表示手段の一態様を示したものである。これによれば、レンズトレーを正面側から見た場合に、被検レンズの光路を通じて視認できる色によって容易に合格か不合格かを判別することができる。
【００１５】
請求項４に記載のレンズ合否表示装置は、請求項１、２、又は、３に記載の発明において、被検レンズの合否の判定結果が、該被検レンズが装填されたレンズトレーのトレー識別情報に対応付けて記憶される記憶手段を備えたレンズ性能測定システムにおいて、前記トレー装填部に装填された前記レンズトレーのトレー識別情報を読み取るトレー識別情報読取手段を備え、前記合否表示切替手段は、前記トレー識別情報読取手段により読み取られたトレー識別情報に対応付けて前記記憶手段に記憶されている被検レンズの合否の判定結果を読み出し、該判定結果に基づいて、前記合否表示手段による合格と不合格の表示を切り替えることを特徴としている。
【００１６】
本発明によれば、複数のレンズトレーを用いる場合に、合否表示を行おうとしている被検レンズの合否を他のレンズトレーのものと混同することなく適切に表示することができる。
【００１７】
請求項５に記載のレンズ合否表示装置は、被検レンズをレンズトレーに装填すると共に該レンズトレーをレンズ性能測定のための測定部に装填することによって、該レンズ性能測定を行うと共に、該レンズ性能測定の測定結果に基づいて前記被検レンズの合否を判定するレンズ性能測定システムにおいて使用されるレンズ合否表示装置であって、前記レンズトレーにおける被検レンズの合格と不合格とを切替可能に表示する合否表示手段であって、前記レンズトレーにおける前記被検レンズの近傍に配置され、該被検レンズの合否を視認可能に表示するランプと、前記トレー装填部に装填された前記レンズトレーにおける被検レンズについての合否の判定結果に基づいて、前記ランプによる合格と不合格の表示を切り替える合否表示切替手段と、を備えたことを特徴としている。
【００１８】
本発明は、請求項１〜４のようにレンズトレーをトレー装填部に装填することなくレンズトレーに装填された被検レンズの合否を表示できるようにした態様であり、レンズトレーに配置されたランプによって被検レンズの合否が表示される。従って、レンズ性能測定のための測定部からレンズトレーを取り出した状態で被検レンズを合格品と不合格品とに仕分ける作業を行うことができる。
【００１９】
請求項６に記載のレンズ合否表示装置は、請求項５に記載の発明において、前記レンズトレーは、前記レンズ性能測定の測定結果に基づいて該レンズトレーに装填された被検レンズの合否を判定する処理手段を備えたことを特徴としている。
【００２０】
本発明によれば、レンズトレーに搭載された処理手段によって被検レンズの合否が判定されるため、他の処理装置で合否を判定する必要がなく、また、複数のレンズトレーを使用する場合であっても、他のレンズトレーとの区別を行うことなく、自己のレンズトレーに装填された被検レンズの合否判定結果を適切に表示することができる。
【発明の効果】
【００２１】
本発明に係るレンズ合否表示装置によれば、合否を示す識別情報を被検レンズに付加することなく、合格品と不合格品との仕分け作業をレンズ性能測定とは別工程で行えるようになり、合否判定のためのレンズ性能測定を高効率で行うことができ、また、その仕分け作業安価な装置で誤りなく確実かつ迅速に行うことができる。
【発明を実施するための最良の形態】
【００２２】
以下、添付図面に従って本発明に係るレンズ合否表示装置を実施するための最良の形態について詳説する。
【００２３】
図１は、本発明に係るレンズ合否表示装置が適用されるレンズ性能測定システムの全体構成を示した図である。本システムは例えばデジタルカメラそのものや携帯電話等の携帯機器に搭載されるデジタルカメラに使用されるレンズ（レンズユニット）を生産するための生産ラインに組み込まれる。これによって、出荷状態まで組み立てられたレンズを被検レンズとして、ＭＴＦ（Modulation Transfer Function）測定によるレンズ性能測定とその測定結果に基づく合否判定及び合否表示が本システムにおいて行われるようになっている。
【００２４】
同図に示すように本システムは、主としてＭＴＦ測定器１０とパソコン１２と合否表示装置２０とから構成されている。パソコン１２は、ＣＰＵ、メモリ等の各種データ処理を行うための主要回路を搭載したパソコン本体１４と、キーボードやマウスなどの入力装置１６、ＭＴＦ測定用ＬＣＤ（液晶ディスプレー）１８、合否表示装置２０に配置される合否表示用ＬＣＤ（液晶ディスプレー）２２等から構成されている。尚、本システムにおけるパソコン１２は、ＭＴＦ測定用ＬＣＤ１８と合否表示用ＬＣＤ２２との２つのモニタを備えたいわゆるデュアルモニタの構成となっている。
【００２５】
ＭＴＦ測定器１０は、被検レンズのＭＴＦ（Modulation Transfer Function）を測定するためのデータを取得する装置であり、その測定部２４の概略構成を図２、図３に示す。図２に示すように測定部２４には、水平方向（Ｘ方向及びＹ方向）に電動で移動するＸ−Ｙステージ３０と、Ｘ−Ｙステージ３０上に設置されたトレー保持枠３２と、Ｘ−Ｙステージ３０を移動可能に支持する図示しない固定台に設置された光源ユニット３４及びＭＴＦ測定用チャート３６と、Ｘ−Ｙステージ３０の上方に配置されるＣＣＤカメラ３８等が配置されている。また、トレー保持枠３２には、レンズトレー４０が取外し可能に装填されると共に、そのレンズトレー４０に複数（最大３６個）の被検レンズ４２、４２、…が装填されるようになっている。
【００２６】
図３は、トレー保持枠３２にレンズトレー４０を装填した状態を示しており、同図に示すようにトレー保持枠３２の枠内にレンズトレー４０が上面側一部の厚み部分を残して嵌合している。
【００２７】
光源ユニット３４は、光を生成する光源と、光源から出射された光を均一な光に拡散する拡散板等を備えており、拡散板によって拡散された光が光源ユニット３４の上面から出射されるようになっている。
【００２８】
また、図２に示すようにトレー保持枠３２の内部は空洞で上面と下面が開口されており、Ｘ−Ｙステージ３０にもトレー保持枠３２の枠形状と略一致した孔５０が上面から下面まで貫通した状態に形成されている。光源ユニット３４やＭＴＦ測定用チャート３６が配置される図示しない固定台にも光源ユニット３４の光が出射される上面からＸ−Ｙステージ３０の孔５０まで連通する孔（図示せず）が形成されている。従って、光源ユニット３４の上面から出射された光はＭＴＦ測定用チャート３６を背面から照明すると共に、ＭＴＦ測定用チャート３６を透過した光は、トレー保持枠３２に装填されたレンズトレー４０の下面（背面）側に入射するようになっている。
【００２９】
レンズトレー４０には、図４に示すよう合計３６個のレンズ装填部４４、４４、…が形成されており、そのレンズ装填部４４、４４、…に着脱可能に被検レンズ４２、４２、…が装填されるようになっている。各レンズ装填部４４には、上面（正面）から下面（背面）まで貫通した孔５２が形成されており、レンズトレー４０を図３のようにトレー保持枠３２に装填すると、ＭＴＦ測定用チャート３０を透過してレンズトレー４０の下面側から入射した光が、レンズ装填部４４に装填された被検レンズ４２内部の光路に入射するようになっている。
【００３０】
また、レンズトレー４０の４隅のうち１箇所において、略半円状に突出した突部５４が形成されている。一方、トレー保持枠３２は、図２及び図３に示すようにレンズトレー４０の輪郭形状と略一致した枠形状で形成されている。従って、レンズトレー４０を前後反対にしてトレー保持枠３２に装填することがレンズトレー４０の突部５４によって防止され、常に同じ向きでトレー保持枠３２に装填されるようになっている。
【００３１】
更に、レンズトレー４０には、他のレンズトレーと区別するためのトレー番号が割り当てられている。トレー番号は、例えば１から１５までの番号からなり、そのトレー番号を４ビットの２進データで表したものが図４（及び図２）に示すようにレンズトレー４０の後側側面のトレー番号表記部５６に付されている。このトレー番号表記部５６は、決められた４箇所の位置５６Ａ、５６Ｂ、５６Ｃ、５６Ｄでの反射テープの有無によって４ビットの２進データを表しており、反射テープが付されているビットを１、反射テープが付されていないビットを０としている。
【００３２】
一方、レンズトレー４０が装填されるトレー保持枠３２には、図２に示すように装填されるレンズトレー４０のトレー番号表記部５６が対向する位置にトレー番号読取センサ５８が取り付けられている。このトレー番号読取センサ５８は、投光部と受光部を備えた４つのフォトリフレクタ５８Ａ、５８Ｂ、５８Ｃ、５８Ｄからなり、各フォトリフレクタ５８Ａ〜５８Ｄは、レンズトレー４０のトレー番号表記部５６において対向した位置５６Ａ〜５６Ｄに配置される反射テープの有無を反射光の強さによって検出する。このトレー番号読取センサ５８によって、トレー保持枠３２に装填されたレンズトレーのトレー番号が４ビットの２進データとして読み取られるようになっている。
【００３３】
図２及び図３に示したＣＣＤカメラ３８は、トレー保持枠３２にレンズトレー４０を装填した場合に、そのレンズトレー４０に装填された被検レンズ４２の光路を通過した光源ユニット３４からの光によって、ＭＴＦ測定用チャート３６に描画されたパターンを撮像する。ＣＣＤカメラ３８の光軸は、ＭＴＦ測定用チャート３６の光軸と一致しており、ＣＣＤカメラ３８は、その光軸上に配置される被検レンズ４２を介して観測されるＭＴＦ測定用チャート３０のパターンをその被検レンズ４２に関する測定データ（画像データ）として撮像する。このとき、Ｘ−Ｙステージ３０が前後左右に移動することにより、レンズトレー４０に装填された各被検レンズ４２が所定の順序でＣＣＤカメラ３８の光軸上に移動し、各被検レンズ４２の測定データがＣＣＤカメラ３８によって順次取得されるようになっている。
【００３４】
尚、ＣＣＤカメラ３８を複数個配置することによって、複数の被検レンズ４２の測定データを同時に取得し、測定時間の短縮を図ることもできる。
【００３５】
このようにしてＭＴＦ測定器１０の測定部２４により得られたレンズトレー４０のトレー番号と、そのレンズトレー４０に装填された各被検レンズ４２の測定データ（画像データ）が、パソコン１２のパソコン本体１４に取り込まれる。図５は、パソコン本体１４のＣＰＵ等によって実行される各種演算処理の内容を処理ブロックで示した図である。同図に示すようにパソコン本体１４に取り込まれた各被検レンズ４２の測定データは、ＭＴＦ算出部６０より画像解析され、各被検レンズ４２について、ＭＴＦの算出が行われる。そして、これによって得られた各被検レンズ４２のＭＴＦの算出結果（ＭＴＦ曲線等）は、ＭＴＦ表示制御部６２により取り込まれ、ＭＴＦ表示用ＬＣＤ１８に表示される。
【００３６】
一方、ＭＴＦ算出部６０により得られた各被検レンズ４２のＭＴＦの算出結果は、合否判定部６４に取り込まれる。合否判定部６４は、各被検レンズ４２のＭＴＦの算出結果に基づいて被検レンズ４２の性能が製品としての合格基準を満たしているか否かを判定する。そして、その判定結果をメモリ制御部６６によりメモリ７２に記憶させておく。
【００３７】
ここで、ＭＴＦ測定器１０のトレー番号読取センサ５８によって読み取られたレンズトレー４０のトレー番号は、ＭＴＦ測定器１０からパソコン本体１４のトレー番号取得部７４に取得され、そのトレー番号が合否判定部６４に与えられるようになっている。また、レンズトレー４０の各レンズ装填部４４には、装填された被検レンズ４２を識別するためのレンズ番号が割り当てられており、そのレンズ番号の順に各被検レンズ４２の測定データがＭＴＦ算出部６０に取り込まれると共に、その順にＭＴＦの算出が行われるようになっている。合否判定部６４は、例えば、ＭＴＦ算出部６０によって算出されたＭＴＦの算出結果をレンズ番号の順に読み取り、合否判定を行う。
【００３８】
これによって、各被検レンズ４２についての合否判定の結果を示すデータ（合否データ）が、各被検レンズ４２が装填されたレンズトレー４０のトレー番号と、各被検レンズ４２が装填されたレンズ装填部４４に割り当てられたレンズ番号とに対応付けられてメモリ７２に記憶されるようになっている。
【００３９】
合否表示制御部７０は、詳細を後述する合否表示装置２０に装填されたレンズトレー４０のトレー番号に対応付けされた合否データをメモリ制御部６６によりメモリ７２から読み出し、その合否データに基づいてレンズトレー４０に装填された各被検レンズ４２の合否を合否表示装置２０に配置された合否表示用ＬＣＤ２２に表示させる。
【００４０】
合否表示装置２０に装填されたレンズトレー４０のトレー番号は、合否表示装置２０に設けられた後述のトレー番号読取センサ９６によってトレー番号取得部６８に取り込まれ、そのトレー番号が合否表示制御部７０に与えられるようになっている。
【００４１】
続いて、合否表示装置２０の構成について詳説する。図６は、合否表示装置２０の外観構成を示した斜視図である。同図に示すように合否表示装置２０は、４本の脚８０、８０、８０、８０で支持された天板８２の上面側に合否表示用ＬＣＤ２２が画面を水平にして埋設されている。図７は、天板８２の上面側を拡大して示した斜視図である。同図に示すように天板８２の上面側に、レンズトレー４０を装填（嵌合）する凹部（トレー装填部）８４が形成され、その底面に合否表示用ＬＣＤ２２が配置されている。トレー装填部８４は、図４等に示したレンズトレー４０の輪郭形状と略一致した形状に形成されており、前後反対にレンズトレー４０を装填することが防止されている。そのトレー装填部８４にレンズトレー４０を装填すると、図８に示すように合否表示用ＬＣＤ２２の上面を覆うようにしてレンズトレー４０が配置されるようになっている。即ち、レンズトレー４０の下面（背面）側に合否表示用ＬＣＤ２２が配置される。
【００４２】
図９は、天板８２の構造を鉛直方向に切断して示した断面図である。同図に示すように天板８２に形成された凹部９０に合否表示用ＬＣＤ２２が埋設され、その上面側にＬＣＤ保護用の透明のアクリルパネル９２が設置されている。更に、そのアクリルパネル９２を底面の一部とする凹部により、上記トレー装填部８４が形成され、そのトレー装填部８４にレンズトレー４０が装填されるようになっている。
【００４３】
また、図７に示すようにトレー装填部８４の内部側面において、レンズトレー４０の後側側面に設けられたトレー番号表記部５６に対向する位置に、トレー番号読取センサ９６が取り付けられている。このトレー番号読取センサ９６は、ＭＴＦ測定器１０のトレー番号読取センサ５８と同様に投光部と受光部を備えた４つのフォトリフレクタ９６Ａ、９６Ｂ、９６Ｃ、９６Ｄから構成されている。各フォトリフレクタ９６Ａ〜９６Ｄは、レンズトレー４０のトレー番号表記部５６において対向した位置５６Ａ〜５６Ｄに配置される反射テープの有無を反射光の強さによって検出する。このトレー番号読取センサ９６によって、トレー装填部８４に装填されたレンズトレー４０のトレー番号が４ビットの２進データとして読み取られるようになっている。
【００４４】
尚、トレー番号読取センサ９６によって読み取られたトレー番号が０の場合にはレンズトレー４０が装填されていないと判断し、トレー番号が０以外であれば、そのトレー番号のレンズトレー４０が装填されたと判断し、後述の合否表示を合否表示用ＬＣＤ２２に行うことができる。但し、レンズトレー４０が装填されているか否かを検出するスイッチをトレー装填部８４に設けるようにしてもよい。この場合、トレー番号として０番も使用できる。
【００４５】
また、レンズトレー４０のトレー番号の読取りは、本実施の形態のようにレンズトレー４０のトレー番号表記部５６に貼り付けた反射テープとトレー番号読取センサ９６におけるフォトリフレクタ９６Ａ〜９６Ｄとで行う場合に限らず、フォトインタラプタやマイクロスイッチを用いる方法などどのような方法であってもよい。
【００４６】
上記のように図５における合否判定部６４によって合否判定が行われ、その合否判定結果である合否データがメモリ７２に記憶されているレンズトレー４０を、ＭＴＦ測定器１０の測定部２４にセットしたときの状態で、合否表示装置２０のトレー装填部８４に装填すると、トレー番号読取センサ９６を介してパソコン本体１４のトレー番号取得部６８に取り込まれる。そして、そのトレー番号が合否表示制御部７０に与えられ、メモリ制御部６６を介してメモリ７２に記憶されているそのトレー番号の各被検レンズ４２の合否データが合否表示制御部７０に読み出される。その合否データに基づいて合否表示制御部７０は、図１０に示すような画像を合否表示用ＬＣＤ２２に表示させる。
【００４７】
図１０に示すように合否表示用ＬＣＤ２２の画面には、トレー装填部８４に装填されたレンズトレー４０のレンズ装填部４４と一致した配列の矩形状の各領域１００、１００、…にレンズトレー４０の各被検レンズ４２、４２、…についての合否結果が色分けして表示される。そして、各領域１００は、トレー装填部４４に装填されたレンズトレー４０の各被検レンズ４２に対向した位置に表示されるようになっている。従って、レンズトレー４０の各被検レンズ４２を上方（正面側）から目視すると、各被検レンズ４２に対向して表示された各領域１００の色が各被検レンズ４２の光路を通じて視認できるようになっている。
【００４８】
図５における合否表示制御部７０は、各領域１００に対向する位置の被検レンズ４２に対する合否結果に基づいて各領域の表示色を設定する。例えば、合格と判定された被検レンズ４２に対応する領域１００は、緑色に表示させ、不合格と判定された被検レンズ４２に対向する領域１００は、赤色で表示させる。また、被検レンズ４２が装填されていないレンズ装填部４４に対向する領域１００は、灰色で表示させる。
【００４９】
尚、合格、不合格等を区別する領域１００の色は上述の場合に限らず任意の色を用いることができる。また、合格又は不合格の領域１００のみに何らかの色を表示するようにしてもよい。
【００５０】
また、被検レンズ４２の種類によって被検レンズ４２の大きさ等が異なるため、レンズトレー４０は、被検レンズ４２の種類に適合するように構成され、レンズ装填部４４の大きさや配列（個数、位置）等が異なる場合がある。そのため、トレー装填部８４に装填されたレンズトレー４０のトレー番号等によって、レンズトレー４０に装填されている被検レンズ４２の大きさや配列等に適合するように合否表示用ＬＣＤ２２における合否表示の態様、例えば、上記領域１００の大きさや配列が適宜変更されるようになっている。
【００５１】
以上のように、ＭＴＦ測定済みのレンズトレー４０をそのまま合否表示装置２０のトレー装填部８４に装填することによって、レンズトレー４０の各被検レンズ４２の合否結果を知ることができるため、ＭＴＦ測定後即座に他のレンズトレー４０の被検レンズ４２に対してのＭＴＦ測定を開始することができる。また、レンズトレー４０の各被検レンズ４２の合否結果が各被検レンズ４２の光路を通じて直接的に表示されるため、誤りなく容易に合格品と不合格品を仕分けることができる。
【００５２】
以上、上記実施の形態では、合否表示装置２０において、トレー装填部８４に装填されたレンズトレー４０の背面側に配置された合否表示用ＬＣＤ２２によって各被検レンズ４２の合否を表示するようにしたが、ＬＣＤ以外の表示手段であっても合格と不合格との表示を切り替えることができるものであればよい。例えば、上記実施の形態の合否表示用ＬＣＤ２２と同様の表示を行うことができる任意の種類のディスプレー（例えばＣＲＴディスプレー）であってもよいし、トレー装填部８４に装填されたレンズトレー４０の各被検レンズ４２（レンズ装填部４４）に対向した位置（上記合否表示用ＬＣＤ２２の画面における各領域１００の位置）に配置したＬＥＤ等のランプであってもよい。ランプを配置する場合、合格と不合格とでランプの発光色を切り替えるようにしてもよいし、単に点灯と消灯とを切り替えるようにしてもよい。
【００５３】
また、図１１に示すようにレンズトレー４０の各レンズ装填部４４の近傍にＬＥＤ等のランプ１５０を設置し、各レンズ装填部４４に装填された被検レンズ４２の合否をそのランプ１５０によって表示するようにしてもよい。この場合、上記実施の形態のような合否表示用ＬＣＤ２２は不要である。そして、例えば、レンズトレー４０を合否表示装置２０のトレー装填部８４に装填すると、パソコン本体１４とレンズトレー４０とが電気的に接続されるようにし、図５における合否表示制御部７０がレンズトレー４０の各ランプ１００による合否の表示を切り替えられるようにすればよい。
【００５４】
更に、図１１のようなレンズトレー４０の構成において、図５のパソコン本体１４において行われるようなＭＴＦ算出部６０の処理と合否判定部６４の処理のうち少なくとも合否判定部６４の処理をレンズトレー４０に搭載した回路（ＣＰＵ等）によって行うようにし、そのために必要なデータ（測定データやＭＴＦ算出結果等）は、レンズトレー４０をＭＴＦ測定器１０の測定部２４に装填している際等にレンズトレー４０の回路に取り込むようにしてもよい。この態様においては、合否表示を行うために上記実施の形態のトレー装填部８４のような特定の場所にレンズトレー４０を装填する必要がなく、レンズトレー４０を測定部２４から取り出した状態で被検レンズ４２を合格品と不合格品に仕分けることができる。
【００５５】
また、上記実施の形態では被検レンズ４２の合否の判定するためのレンズ性能測定としてＭＴＦ測定を行う場合について説明したが、合否の判定はＭＴＦに限らない。
【００５６】
また、上記実施の形態では、レンズトレー４０に最大３６個の被検レンズ４２が装填できるようになっているが、レンズトレー４０に装填できる被検レンズ４２の個数は任意であり、１個でも３６以外の複数個であってもよい。
【図面の簡単な説明】
【００５７】
【図１】図１は、本発明に係るレンズ合否表示装置が適用されるレンズ性能測定システムの全体構成を示したブロック図である。
【図２】図２は、ＭＴＦ測定器の測定部の概略構成を示した図である。
【図３】図３は、カメラ本体の映像用ＣＣＤと一対のＡＦ用ＣＣＤとを同一の光軸上に表した図である。
【図４】図４は、レンズトレーを拡大して示した斜視図である。
【図５】図５は、パソコン本体で実行される各種演算処理の内容を処理ブロックで示した図である。
【図６】図６は、合否表示装置の外観構成を示した斜視図である。
【図７】図７は、合否表示装置の天板の上面側を拡大して示した斜視図である。
【図８】図８は、合否表示装置のトレー装填部にレンズトレーを装填した状態を示した斜視図である。
【図９】図９は、合否表示装置の天板８２の構造を鉛直方向に切断して示した断面図である。
【図１０】図１０は、合否表示用ＬＣＤでの合否表示の画面を例示した図である。
【図１１】図１１は、合否表示の他の態様でのレンズトレーの構成を示した図である。
【符号の説明】
【００５８】
１０…ＭＴＦ測定器、１２…パソコン、１４…パソコン本体、１６…入力装置、１８…ＭＴＦ測定用ＬＣＤ、２０…合否表示装置、２２…合否表示用ＬＣＤ、２４…測定部、３０…Ｘ−Ｙステージ、３２…トレー保持枠、３４…光源ユニット、３６…ＭＴＦ測定用チャート、３８…ＣＣＤカメラ、４０…レンズトレー、４２…被検レンズ、４４…レンズ装填部、５６…トレー番号表記部、５８…トレー番号読取センサ、６０…ＭＴＦ算出部、６２…ＭＴＦ表示制御部、６４…合否判定部、６６…メモリ制御部、６８…トレー番号取得部、７０…合否表示制御部、７２…メモリ、８２…天板、８４…トレー装填部、９２…アクリルパネル、９６…トレー番号読取センサ
【図１】
0004640055.tif 000002
【図２】
0004640055.tif 000003
【図３】
0004640055.tif 000004
【図４】
0004640055.tif 000005
【図５】
0004640055.tif 000006
【図６】
0004640055.tif 000007
【図７】
0004640055.tif 000008
【図８】
0004640055.tif 000009
【図９】
0004640055.tif 000010
【図１０】
0004640055.tif 000011
【図１１】
0004640055.tif 000012